(57)【要約】 【課題】      単一の循環ポンプを用いて複数のノズルからの浴水噴出の連続性を有するマッサージを行うことができる浴槽装置を提供する。【解決手段】  浴槽装置は、入浴者の足先から踵に向けて浴水をスイングさせながら噴出可能な足裏用ノズルと、入浴者の脹脛に向けて浴水を噴出する脹脛用ノズルと、入浴者の腰に向けて浴水を噴出する腰用ノズルと、入浴者の背中に向けて浴水を噴出する背中用ノズルを備え、第１の弁によって、単一の循環ポンプからの浴水を前記足裏用ノズル及び脹脛用ノズルへの流路と前記腰用ノズルへの流路と前記背中用ノズルへの流路とに配分して供給し、第２の弁によって、足裏用ノズル及び脹脛用ノズルへの流路に供給された浴水を足裏用ノズルへの流路と脹脛用ノズルへの流路とに配分して供給する。【選択図】    図１
2007260266.tif 000002
【特許請求の範囲】
【請求項１】
浴槽と、該浴槽の長手方向に複数配設され浴水を噴出させるノズルとを備えた浴槽装置であって、前記ノズルとして、入浴者の足先から踵に向けて浴水をスイングさせながら噴出可能な足裏用ノズルと、入浴者の脹脛に向けて浴水を噴出する脹脛用ノズルと、入浴者の腰に向けて浴水を噴出する腰用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記腰用ノズルへの流路と前記背中用ノズルへの流路とに配分して供給する第１の弁と、この第１の弁を介して前記足裏用ノズル及び前記脹脛用ノズルへの流路に供給された浴水を前記足裏用ノズルへの流路と前記脹脛用ノズルへの流路とに配分して供給する第２の弁を備えることを特徴とする浴槽装置。
【請求項２】
浴槽と、該浴槽の長手方向に複数配設され浴水を噴出させるノズルとを備えた浴槽装置であって、前記ノズルとして、入浴者の足裏に向けて浴水を噴出する足裏用ノズルと、入浴者の足首から膝裏に向けて浴水をスイングさせながら噴出可能な脹脛用ノズルと、入浴者の腰に向けて浴水を噴出する腰用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記腰用ノズルへの流路と前記背中用ノズルへの流路とに配分して供給する第１の弁と、この第１の弁を介して前記足裏用ノズル及び前記脹脛用ノズルへの流路に供給された浴水を前記足裏用ノズルへの流路と前記脹脛用ノズルへの流路とに配分して供給する第２の弁を備えることを特徴とする浴槽装置。
【請求項３】
浴槽と、該浴槽の長手方向に複数配設され浴水を噴出させるノズルとを備えた浴槽装置であって、前記ノズルとして、入浴者の足先から踵に向けて浴水をスイングさせながら噴出可能な足裏用ノズルと、入浴者の足首から膝裏に向けて浴水をスイングさせながら噴出可能な脹脛用ノズルと、入浴者の腰に向けて浴水を噴出する腰用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記腰用ノズルへの流路と前記背中用ノズルへの流路とに配分して供給する第１の弁と、この第１の弁を介して前記足裏用ノズル及び前記脹脛用ノズルへの流路に供給された浴水を前記足裏用ノズルへの流路と前記脹脛用ノズルへの流路とに配分して供給する第２の弁を備えることを特徴とする浴槽装置。
【請求項４】
前記第２の弁と前記足裏用ノズルとは前記足裏用ノズル内で合流する２本の流路でつながっていることを特徴とする請求項１、３の何れかに記載の浴槽装置。
【請求項５】
前記第２の弁と前記脹脛用ノズルとは前記脹脛用ノズル内で合流する２本の流路でつながっていることを特徴とする請求項２、３の何れかに記載の浴槽装置。
【請求項６】
前記第２の弁はロータリー式であることを特徴とする請求項１乃至請求項５の何れかに記載の浴槽装置。
【請求項７】
前記第１の弁はロータリー式であることを特徴とする請求項１乃至請求項６の何れかに記載の浴槽装置。
【請求項８】
前記各ノズルへの流路を形成する各配管への送水時間が４〜４０秒であることを特徴とする請求項１乃至請求項７の何れかに記載の浴槽装置。
【発明の詳細な説明】
【技術分野】
【０００１】
本発明はリンパマッサージができる浴槽装置に関する。
【背景技術】
【０００２】
リンパ液（組織間液）は血液から細胞の中に染み出して酸素や栄養分、水分などを細胞に供給し、また細胞から余分な水分や老廃物を取り込んでリンパ管へと入る。このリンパ管は数本ずつが関節部分に多く存在するリンパ節で合流しながら次第に太くなり、最終的には静脈に取り込まれ水分や老廃物は尿として体外に排出される。上記のリンパの流れが滞ると、むくみや肌荒れが生じることは従来から知られている。このようなリンパの流れを促進するには手足の先から心臓に向かってさするような動きが有効である。
【０００３】
そこで、浴水の流れに方向性を持たせた浴槽装置として、特許文献１〜３に開示されるものが提案されている。
特許文献１に開示される浴槽装置は、浴槽底面の前後方向に亘って複数のノズルを設け、これら複数のノズルの噴出方向を斜めにすることで、手足の先から心臓に向う流れを形成するようにしている。
【０００４】
特許文献２に開示される浴槽装置は、浴槽底面の前後方向に亘って複数の気泡噴出ノズルを設け、これら複数の気泡噴出ノズルの噴出のタイミングをずらすことで足先から心臓に向かっての擬似的な流れを形成するようにしている。
【０００５】
特許文献３、特に図１１の別実施例として開示される浴槽装置は、浴槽内に下半身用の浴水噴出ノズルと上半身用の浴水噴出ノズルを設け、下半身用の浴水噴出ノズルには第１のポンプから浴水を供給し、上半身用の浴水噴出ノズルには第２のポンプから浴水を供給するようにしている。また、特許文献３には噴出ノズルの構造として、２本の流路を合流させ、それぞれの流路から流入量を制御することでノズルからの噴出方向を連続的に変化（スイング動）させるものが提案されている。
【０００６】
【特許文献１】特開２００５−３４２４９１号公報
【特許文献２】特開２００５−３１８９５０号公報
【特許文献３】特開２００５−３４２５０７号公報
【発明の開示】
【発明が解決しようとする課題】
【０００７】
特許文献１〜３に開示される浴槽装置は、リンパマッサージを目的とするものであるが、以下の問題がある。
【０００８】
特許文献１に開示される浴槽装置にあっては、ノズルから噴出する浴水の方向は斜めではあるが、スイング動しないため、撫で上げる感覚に乏しく、リンパマッサージ効果を高めることができない。
【０００９】
特許文献２に開示される浴槽装置にあっては、バルブの切替によって擬似的に足先から心臓に向けた流れを感じることはできる。しかしながら単発的な噴出の切替にすぎず、リンパの流れを促進する手足の先から心臓に向かって撫で上げる連続的な動作を作り出すことはできず、リンパマッサージ効果を高めることができない。
【００１０】
特許文献３に開示される浴槽装置にあっては、２つの循環ポンプを用いるため、全身のリンパマッサージを行おうとして下半身用の浴水噴射ノズルから上半身用の浴水噴射ノズルに切り替える際に、一方のポンプをオフとし、他方のポンプをオンにすることになるが、このときにポンプの立ち上がり性能や停止性能によりマッサージの連続性が損なわれやすい。これを解消するため、一方のポンプのオフと他方のポンプのオンをオーバラップさせることも考えられるが、このようにすると瞬間的に大きな電力を必要とし好ましくない。
【００１１】
また、２つ循環ポンプを使用すると、浴槽装置全体が大型化しコストアップになるだけでなく騒音や振動といった観点でも好ましくない。
【課題を解決するための手段】
【００１２】
上記の課題を解決するため第１発明に係る浴槽装置は、浴槽と、該浴槽の長手方向に複数配設され浴水を噴出させるノズルとを備えた浴槽装置であって、前記ノズルとして、入浴者の足先から踵に向けて浴水をスイングさせながら噴出可能な足裏用ノズルと、入浴者の脹脛に向けて浴水を噴出する脹脛用ノズルと、入浴者の腰に向けて浴水を噴出する腰用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記腰用ノズルへの流路と前記背中用ノズルへの流路とに配分して供給する第１の弁と、この第１の弁を介して前記足裏用ノズル及び前記脹脛用ノズルへの流路に供給された浴水を前記足裏用ノズルへの流路と前記脹脛用ノズルへの流路とに配分して供給する第２の弁を備えることを特徴としている。
【００１３】
このような構成とすることで、スイングさせながら噴出可能な足裏用ノズルによってリンパ液が滞りやすい足裏に関して足先から踵へと重点的に撫で、その後脹脛用ノズルにて脹脛を刺激し、更に腰用ノズルにて腰を刺激し、背中用ノズルにて背中を刺激する、という一連の動作を単一のポンプで実現することができる。これにより、浴槽装置全体の省スペース、コストダウンを実現し、同時に騒音、振動も最小限に抑えることができる。更には、２つのポンプ構成では不可避であるポンプのオンオフによる全身モードでの一連の動作の連続性の欠如も無くなり、使用者にとって違和感のないマッサージ効果の高いシステムを構築することができる。
【００１４】
また、第２発明に係る浴槽装置は、浴槽と、該浴槽の長手方向に複数配設され浴水を噴出させるノズルとを備えた浴槽装置であって、前記ノズルとして、入浴者の足裏に向けて浴水を噴出する足裏用ノズルと、入浴者の足首から膝裏に向けて浴水をスイングさせながら噴出可能な脹脛用ノズルと、入浴者の腰に向けて浴水を噴出する腰用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記腰用ノズルへの流路と前記背中用ノズルへの流路とに配分して供給する第１の弁と、この第１の弁を介して前記足裏用ノズル及び前記脹脛用ノズルへの流路に供給された浴水を前記足裏用ノズルへの流路と前記脹脛用ノズルへの流路とに配分して供給する第２の弁を備えることを特徴としている。
【００１５】
このような構成とすることで、足裏用ノズルによって足裏に向けて浴水を噴出し、次いで浴水をスイングさせながら噴出可能な脹脛用ノズルによってリンパ液が滞りやすい脹脛に関して足首から膝裏へと重点的に撫で上げ、その後背中用ノズルにて背中を刺激する、という一連の動作を単一のポンプで実現することができる。これにより、浴槽装置全体の省スペース、コストダウンを実現し、同時に騒音、振動も最小限に抑えることができる。更には、２つのポンプ構成では不可避であるポンプのオンオフによる全身モードでの一連の動作の連続性の欠如も無くなり、使用者にとって違和感のないマッサージ効果の高いシステムを構築することができる。
【００１６】
また、第３発明に係る浴槽装置は、浴槽と、該浴槽の長手方向に複数配設され浴水を噴出させるノズルとを備えた浴槽装置であって、前記ノズルとして、入浴者の足先から踵に向けて浴水をスイングさせながら噴出可能な足裏用ノズルと、入浴者の足首から膝裏に向けて浴水をスイングさせながら噴出可能な脹脛用ノズルと、入浴者の腰に向けて浴水を噴出する腰用ノズルと、入浴者の背中に向けて浴水を噴出する背中用ノズルとを有し、浴水を循環する単一の循環ポンプと、この単一の循環ポンプからの浴水を前記足裏用ノズル及び前記脹脛用ノズルへの流路と前記腰用ノズルへの流路と前記背中用ノズルへの流路とに配分して供給する第１の弁と、この第１の弁を介して前記足裏用ノズル及び前記脹脛用ノズルへの流路に供給された浴水を前記足裏用ノズルへの流路と前記脹脛用ノズルへの流路とに配分して供給する第２の弁を備えることを特徴としている。
【００１７】
このような構成とすることで、スイングさせながら噴出可能な足裏用ノズルによってリンパ液が滞りやすい足裏に関して重点的に足先から踵へと撫で、引き続き、スイングさせながら噴出可能な脹脛用ノズルによってリンパ液が滞りやすい脹脛に関して重点的に足首から膝裏へと撫で上げ、更に背中用ノズルにて背中を刺激する、という一連の動作を単一のポンプで実現することができる。これにより、浴槽装置全体の省スペース、コストダウンを実現し、同時に騒音、振動も最小限に抑えることができる。更には、２つのポンプ構成では不可避であるポンプのオンオフによる全身モードでの一連の動作の連続性の欠如も無くなり、使用者にとって違和感のないマッサージ効果の高いシステムを構築することができる。  
【００１８】
尚、前記入浴者とは平均的な体格を有する仮想上の使用者を指し、前記浴水は気泡を含んだものでもよい。また循環ポンプの形式も任意である。
【００１９】
また、前記第２の弁と足裏用ノズルとをノズル内で合流する２本の流路でつなげた構成を有していてもよく、２本の流路それぞれに送り込む浴水の量を制御することにより、スイング動を容易に実現させることができる。
【００２０】
また、前記第２の弁と脹脛用ノズルとをノズル内で合流する２本の流路でつなげた構成を有していてもよく、２本の流路それぞれに送り込む浴水の量を制御することにより、スイング動を容易に実現させることができる。
【００２１】
また、この足裏用ノズル及び脹脛用ノズルの各流路への送り込む浴水の量を制御する第２の弁としてロータリー式の弁を採用してもよく、これにより噴出量を徐々に増やしたり減らしたりすることがロータリー弁の回動動作にて容易に実現でき、連続的なスイングしながらの噴射を容易に実現できる。また、足裏から脹脛にかけて、リンパマッサージとして重要な、身体の末端から心臓へ向かう方向に作用させていくという一連の噴出順番の連続性も容易に実現できる。
【００２２】
また、第一の弁としてロータリー式の弁を採用してもよく、これにより脹脛用ノズルから腰用ノズル、及び腰用ノズルから背中用ノズルへの移行がよりスムーズになるとともに、噴出順番の連続性が容易に確保できる。
【００２３】
また、各ノズルへの流路を形成する各配管への送水時間を４〜４０秒とすることにより、十分なリンパマッサージ効果が得られかつ使用者が飽きないシステムを実現できる。
【発明の効果】
【００２４】
本発明の第１発明に係る浴槽装置によれば、スイングさせながら噴出可能な足裏用ノズルによってリンパ液が滞りやすい足裏に関して足先から踵へと重点的に撫で、その後脹脛用ノズルにて脹脛を刺激し、更に腰用ノズル及び背中用ノズルにて腰から背中にかけて刺激する、という一連の動作を単一のポンプで実現することができる。これにより、浴槽装置全体の省スペース、コストダウンを実現し、同時に騒音、振動も最小限に抑えることができる。更には、２つのポンプ構成では不可避であるポンプのオンオフによる全身モードでの一連の動作の連続性の欠如も無くなり、使用者にとって違和感のないマッサージ効果の高いシステムを構築することができる。
【００２５】
また第２発明に係る浴槽装置によれば、足裏用ノズルによって足裏に向けて浴水を噴出し、次いで浴水をスイングさせながら噴出可能な脹脛用ノズルによってリンパ液が滞りやすい脹脛に関して足首から膝裏へと重点的に撫で上げ、その後腰用ノズル及び背中用ノズルにて腰から背中にかけて刺激する、という一連の動作を単一のポンプで実現することができる。これにより、浴槽装置全体の省スペース、コストダウンを実現し、同時に騒音、振動も最小限に抑えることができる。更には、２つのポンプ構成では不可避であるポンプのオンオフによる全身モードでの一連の動作の連続性の欠如も無くなり、使用者にとって違和感のないマッサージ効果の高いシステムを構築することができる。
【００２６】
更に第３発明に係る浴槽装置によれば、スイングさせながら噴出可能な足裏用ノズルによってリンパ液が滞りやすい足裏に関して重点的に足先から踵へと撫で、引き続き、スイングさせながら噴出可能な脹脛用ノズルによってリンパ液が滞りやすい脹脛に関して重点的に足首から膝裏へと撫で上げ、その後腰用ノズル及び背中用ノズルにて腰から背中にかけて刺激する、という一連の動作を単一のポンプで実現することができる。これにより、浴槽装置全体の省スペース、コストダウンを実現し、同時に騒音、振動も最小限に抑えることができる。更には、２つのポンプ構成では不可避であるポンプのオンオフによる全身モードでの一連の動作の連続性の欠如も無くなり、使用者にとって違和感のないマッサージ効果の高いシステムを構築することができる。
【発明を実施するための最良の形態】
【００２７】
以下に本発明の実施例を添付図面に基づいて説明する。まず、第１発明に関して述べる。図１（ａ）は本発明の第１発明に係る浴槽装置１０１の側面図であり、（ｂ）は平面図である。図２は第１発明に係る浴槽装置の主要構成部材の関係を示した概略図であり、図３（ａ）〜（ｅ）は第１の弁の各ポジションでの断面図、図３（ｆ）は第１の弁の側面図、図４（ａ）〜（ｃ）は第２の弁の各ポジションでの断面図、図４（ｄ）は第２の弁の側面図、図５はスイングさせながら噴射可能な足裏用ノズルの断面図である。
【００２８】
第１発明の浴槽装置１０１は、浴槽１と、浴槽１に設けられた吸引口６と、スイングさせながら噴射可能な足裏用ノズル２ｓと、脹脛用ノズル３と、腰用ノズル４と、背中用ノズル５と、吸引口６から各ノズルに通じる循環径路を形成する配管と、循環径路内に設けられた循環ポンプ１６と、第１の弁９と、第２の弁１３を有する。
【００２９】
浴槽１において、入浴者の足先が位置する箇所には足裏用ノズル２ｓが左右に１対配置され、入浴者の脹脛が位置する箇所には脹脛用ノズル３が左右に１対配置され、入浴者の腰が位置する箇所には腰用ノズル４が１個配置され、入浴者の背中が位置する箇所には背中用ノズル５が１個配置されている。ここで、位置する箇所とは、入浴者（平均的な体格の使用者）が浴槽１に入ったと仮定したときの当該入浴者の足裏、脹脛、腰及び背中の近傍で、マッサージを行うのに最も効果的な位置を指す。
【００３０】
図１では、足裏用ノズル２ｓは浴槽短辺側の一方の壁面に設けられ、脹脛用ノズル３は浴槽底面に設けられ、腰用ノズル４および背中用ノズル５は浴槽短辺側のもう一方の壁面に設けられている。尚、各ノズルが配置される位置としては、図１に示した位置に限定されるものではなく、例えば、脹脛用ノズル３は浴槽長辺側の壁面に設けられていてもよい。また、背中用ノズル５は、腰より若干上もしくは左右の肩甲骨の間を狙うように設けられていてもよい。
【００３１】
また、浴槽装置１０１は単一の循環ポンプ１６を備えている。この循環ポンプ１６は浴槽１に形成した吸引口６から浴水を配管７を介して吸引し、吸引した浴水を配管８を介して吐出する。
尚、本発明でいう浴水とは、気泡入りの浴水も含むものである。
【００３２】
配管８は第１の弁９に接続されている。本実施例にあっては、図３に示すように、第１の弁９としてロータリー式の４方弁を使用している。第１の弁９は、モータ９２により回動する弁体９１を有しており、この弁体９１の状態によって流路の連通状態を変化させる。この４方弁の１つの弁内流路９ａは前記配管８につながり、弁内流路９ｂは足裏用ノズル２ｓ及び脹脛用ノズル３に浴水を供給する配管１０につながり、弁内流路９ｃは腰用ノズル４に浴水を供給する配管１１につながり、９ｄは背中用ノズル５に浴水を供給する配管１２につながっている。
【００３３】
前記配管１０は第２の弁１３に接続されている。本実施例にあっては、図４に示すように、第２の弁１３としてロータリー式の４方弁を使用している。第２の弁１３は、モータ１３２により回動する弁体１３１を有しており、この弁体１３１の状態によって流路の連通状態を変化させる。この４方弁の１つの弁内流路１３ａは前記配管１０につながり、弁内流路１３ｂ、１３ｃは足裏用ノズル２ｓに浴水を供給する配管１４ａ，１４ｂにそれぞれつながり、残りの弁内流路１３ｄは脹脛用ノズル３に浴水を供給する配管１５につながっている。
【００３４】
前記配管１４ａ，１４ｂは途中で分岐して左右の足裏用ノズル２ｓにつながり、前記配管１５は更に途中で分岐して左右の脹脛用ノズル３につながっている。
【００３５】
前記足裏用ノズル２ｓはノズル自体は固定であるが、噴出する浴水がスイング動する構造となっている。具体的には、図５に示すように、足裏用ノズル２ｓには前記配管１４ａにつながるノズル内流路２ａと前記配管１４ｂにつながるノズル内流路２ｂが形成され、これらノズル内流路２ａとノズル内流路２ｂがノズル内で合流している。
【００３６】
而して、配管１４ａからの浴水が配管１４ｂからの浴水よりも多いと図において右上側に浴水が噴出し、配管１４ｂからの浴水が配管１４ａからの浴水よりも多いと図において右下側に浴水が噴出する。また、配管１４ａからの浴水と配管１４ｂからの浴水とがほぼ等しい場合には、その中間の方向（紙面右方向）に噴出することになる。このように配管１４ａ，１４ｂからの浴水の流量を制御することで足裏用ノズル２ｓから噴出する浴水はスイング動を行うことができる。すなわち、第２の弁１３での配管１４ａ，１４ｂへの流量配分を変化させていくことにより、浴水噴射のスイング動を容易に実現できる。
【００３７】
以上の構成からなる浴槽装置１０１の動作について説明する。第１発明の浴槽装置１０１は、足裏用ノズル２ｓ、脹脛用ノズル３、腰用ノズル４、背中用ノズル５から連続的に順番に浴水を噴出させる全身モードと、足裏用ノズル２ｓ、脹脛用ノズル３から連続的に順番に浴水を噴出させる下半身モードと、腰用ノズル４、背中用ノズル５から浴水を噴出させる上半身モードを有している。
【００３８】
先ず全身モードについて説明する。本実施例では、第１の弁９及び第２の弁１３としてそれぞれ前述のロータリー式の４方弁を用いており、図６は全身モードのタイムチャート、図７は全身モードにおける主要構成部材と各ノズルからの噴出状態を示した概略図である。尚、タイムチャート内の図の矢印は、後述する各弁のポジションを模式的に表している。
【００３９】
第１の弁９は図３に示したように５つのポジションが、第２の弁１３は図４に示したように３つのポジションが、弁体の回動方向に重ならないよう設定されており、弁体９１、１３１が回動することによって各ポジションを得ることができる。例えば第１の弁９では、図３（ａ）（ｂ）（ｃ）に示される３つのポジションで弁内流路９ａを弁内流路９ｂにのみ接続することになる。尚、各ポジション間の回動途中では、２つの出水側流路にまたがって連通状態を形成することもあり、この際、連通状態（開度状態）に応じて送水量が２つの出水側流路に配分されることになる。
【００４０】
ここでは、各ポジション間の移動速度は全て等しく設定されている。すなわち、第１の弁９の回転周期（一回転するのに必要な時間）と第２の弁の回転周期の比は、５対３である。尚、第１の弁９の弁体９１及び第２の弁１３の弁体１３１は、基本的に紙面上時計回りに回動する。
【００４１】
先ず、使用者からの全身モード開始の指令入力を受けて、第１の弁９を図３（ａ）ポジションとし、第２の弁１３を図４（ａ）ポジションとする（この第１の弁９および第２の弁１３の状態を初期ポジションＡと呼ぶ）。各弁がそれぞれのポジションにあること（初期ポジションＡであること）を確認してから循環ポンプ１６をオンし浴水の噴出を開始する。この状態では図７（ａ）に示すように、配管１４ａ及び左右の足裏用ノズル２ｓのノズル内流路２ａを介して使用者の足先に向けて浴水が噴出される。
【００４２】
この後、循環ポンプ１６の送水が安定する所定の時間経過後、第１の弁９及び第２の弁１３の回動動作を開始する。第１の弁９を図３（ｂ）ポジションとし、第２の弁１３を図４（ｂ）ポジションまで回転せしめる。すると、配管１４ａからの足先向けの浴水の噴出が徐々に弱くなり配管１４ｂからの踵向けの浴水の噴出が徐々に強くなり、図７（ｂ）に示すように、配管１４ａ，１４ｂを介して左右の足裏用ノズル２ｓから浴水が足裏に向けて噴出される状態を経て、図７（ｃ）に示すように、配管１４ｂを介して左右の足裏用ノズル２ｓから浴水が踵に向けて噴出される。
【００４３】
その結果、左右の足裏用ノズル２ｓから噴出される浴水の方向は、使用者の足先から土踏まずを経て踵に至るまで連続的に移るスイング動をなすことができる。これにより、足裏を撫でる動作を実現できる。
【００４４】
次いで、第１の弁９を図３（ｃ）ポジションまで回動せしめ、第２の弁１３を図４（ｃ）ポジションまで回転せしめる。すると、踵向けの浴水の噴出が徐々に弱くなり脹脛向けの浴水の噴出が徐々に強くなり、この間に図７（ｄ）に示すように、配管１４ｂを介した左右の足裏用ノズル２ｓ及び脹脛用ノズル３の両方から噴出している状態を経て、図７（ｅ）に示すように、左右の脹脛用ノズル３のみから浴水が脹脛に向けて噴出される。
【００４５】
次いで、第１の弁９を図３（ｄ）ポジションまで回動せしめるとともに、第２の弁１３を図４（ｃ）ポジションを維持したまま停止させておく。すると、脹脛向けの浴水の噴出が徐々に弱くなり腰向けの浴水の噴出が徐々に強くなり、図７（ｆ）に示すように、脹脛用ノズル３及び腰用ノズル４の両方から浴水が噴出する状態を経て、図７（ｇ）に示すように、配管１１のみを介して腰用ノズル４から腰に向けて噴出する状態となる。
【００４６】
この後、第１の弁９を図３（ｄ）から（ｅ）ポジションまで回転させると、配管１１を介した腰用ノズル４からの腰向けの浴水の噴出が徐々に弱くなり配管１２を介した背中用ノズル５からの背中向けの浴水の噴出が徐々に強くなり、図７（ｈ）に示すように、腰用ノズル４及び背中用ノズル５から腰及び背中に向けて同時に噴出する状態を経て、図７（ｉ）に示すように、配管１２のみを介して背中用ノズル５から背中に向けて噴出する状態となる。この際、第２の弁１３は図４（ｃ）ポジションから（ａ）ポジションに回動させておく。
【００４７】
この後、第１の弁９を図３（ａ）ポジションまで回動させて初期ポジションＡに戻す。この間に、背中向けの浴水の噴出が徐々に弱くなり配管１４ａからの足先向けの浴水の噴出が徐々に強くなり、図７（ｊ）に示すように、背中用ノズル５及び足裏用ノズル２ｓから浴水が弱く噴出する状態をて、配管１４ａからの足先向けの浴水が噴出される図７（ａ）の状態に戻る。この際、第２の弁１３は図４（ａ）ポジションに維持したまま停止させておく。
【００４８】
以上の動作を１サイクルとして繰り返し行い、使用者の停止の指令入力を受けてもしくは所定の時間の経過後、循環ポンプ１６をオフし全身モードは終了となる。このとき、初期ポジションＡに戻す動作をさせてもよい。
【００４９】
このような動作を行う全身モードによって、単一のポンプで、足先から始まって、足裏、踵、脹脛、腰、背中と、順番にかつ連続的に水流にて使用者の全身を撫で上げながら刺激することができ、常に末端から心臓に向かう方向で全身をマッサージし、リンパの流れを促進し、むくみ解消などの効果を効率よく発揮することができる。このとき、各ノズル間の噴出移行は、第１の弁９および第２の弁１３の回動動作によりスムーズに行われるため、使用者にとって違和感のないマッサージ効果の高いシステムを実現できる。
【００５０】
図８は下半身モードのタイムチャートであり、基本的には前記全身モードから上半身モードを省略したものであり、第１の弁９は図３（ａ）ポジションに固定され、この間に第２の弁１３が回動することで、図７（ａ）から（ｅ）までを行い（ａ）に戻る、という工程を繰り返し行うことになる。尚、第１の弁９は図３（ｂ）または（ｃ）ポジションに固定してもよい。
【００５１】
このような動作を行う下半身モードによって、単一のポンプで、足先から始まって、足裏、踵、脹脛と、むくみの発生しやすい下半身に対して、順番にかつ連続的に水流を作用させることができ、常に身体の末端から心臓に向かう方向で下半身をマッサージし、リンパの流れを促進し、むくみ解消などの効果を効率よく発揮することができる。
【００５２】
図９は上半身モードのタイムチャートであり、基本的には前記全身モードから下半身モードを省略したものであり、第２の弁１３は図４（ａ）ポジションに固定され、この間に第１の弁９が図３（ｄ）ポジションと（ｅ）ポジションとの間を回動往復（（ｄ）ポジションから（ｅ）ポジションは時計回り、（ｅ）ポジションから（ｄ）ポジションは反時計回り、の反復動作）することで、図７（ｇ）（ｈ）（ｉ）（ｈ）（ｇ）の工程を繰り返し行うことになる。尚、第２の弁１３は図４（ｂ）または（ｃ）ポジションに固定してもよい。
【００５３】
このような動作を行う上半身モードによって、単一のポンプで、腰から背中の背骨周りに存在するつぼを中心としたマッサージポイントに対して、腰用ノズル４および背中用ノズル５から交互に水流を作用させることができ、広範囲にわたって上半身をマッサージし、こり解消などの効果を効率よく発揮することができる。
【００５４】
以上述べてきたように、本発明によれば、単一のポンプで全身モード、下半身モード、上半身モード、のそれぞれを実現でき、かつそれぞれのモードにおいて各ノズルから順番に水流を身体に対して作用させることができ、リンパマッサージやこり解消といったマッサージ効果をより効率よく発揮することができる。
【００５５】
また、使用者の状態や好みによって、全身を撫で上げてくれる全身モード、下半身のむくみを重点的に解消する下半身モード、上半身のこりを重点的に解消する上半身モード、を使い分けることができ、使用者にとってより好ましいシステムを単一のポンプで実現している。
【００５６】
このように、単一のポンプで順番に連続的に水流を噴出させるために、二つの弁（第１の弁９、第２の弁１３）は上記のように連動して動かす必要がある。具体的には、第１の弁９が第２の弁１３側に開いているとき（図３（ａ）ポジションから（ｃ）ポジションまで）に、第２の弁１３の一連の動作（少なくとも図４（ａ）ポジションから（ｃ）ポジションまで）を行う必要がある。この連動動作を確実にするため、各モードでの動作状態において、第１の弁９と第２の弁１３のポジション、具体的には弁体９１と弁体１３１の位置をチェックする制御を行っても良い。例えば、全身モードにおいては初期ポジションＡは定期的に訪れるので、このポジションを定期的にチェックしポジションのずれを補正することで、誤動作を防ぐことができる。同様に、本浴槽装置１０１の運転を一時中断し、再起動するときにも、各モードの初期位置（例えば全身モードにおいては初期ポジションＡ）を確認し、それから循環ポンプ１６をオンすることで、誤動作を防ぐと共に、各モードの始まりを所定の噴出位置（全身モードと下半身モードでは配管１４ａを介した足先向け噴出、上半身モードでは配管１１を介した腰向け噴出）からとすることができる。これにより、必ず身体の末端から心臓に向かうマッサージとなる。
【００５７】
また、循環ポンプ１６から第１の弁９および第２の弁１３を通じて各配管への送水時間を４秒から４０秒と設定することが望ましい。各配管への送水時間とは、本実施例においては、例えば配管１５への送水時間は、第１の弁９が弁内流路９ｂ側に開いておりかつ第２の弁１３が弁内流路１３ｄ側に開いている時間となり、およそ図４（ｂ）ポジションから（ａ）ポジションに到るまでの時間である。この各配管への送水時間は、各配管に対応する各噴出ノズルからの浴水噴出の時間を決定しており、すなわち、マッサージ時間を決定するものである。例えば、スイングさせながら噴射させる足裏用ノズル２ｓの場合、噴出時間は配管１４ａと配管１４ｂの２本分の送水時間を加味して決定されるため送水時間より若干長めとなり、およそ送水時間の３／２倍である。一方、脹脛用ノズル３の場合、噴出時間は配管１５によってのみ決定されるため送水時間と等しい。各配管への送水時間が４秒以上だと、水流により撫で上げるリンパマッサージ効果が十分に得られ、また、４０秒以下だと、使用者が使用中に退屈になることなく使用することができる。
【００５８】
また、各部位での動作時間を使用者の好みに応じて設定できるようにしてもよく、この場合、設定時間に応じて弁体の速度や回動時間を変更するよう制御することで対応できる。
【００５９】
次に、第１発明において第１の弁として電磁式バルブを用いた変形例について述べる。本変形例の浴槽装置は、第１の弁９に電磁式バルブを用いる以外については、前述の第１発明の実施例の浴槽装置１０１と同じ構成を有している。
図１０、図１１及び図１２は、本変形例の、全身モード、下半身モード、及び上半身モードのタイムチャートである。基本的なパターンは前記ロータリーバルブを用いた場合と同様であり、単一のポンプで全身モード、下半身モード、上半身モードを第１の弁９および第２の弁１３の連動動作によって実現している。尚、電磁式バルブを用いた場合にはオン・オフの切替がデジタル的であるため、瞬時に浴水の噴出・停止がなされる。これにより、脹脛ノズル３から腰用ノズル４への噴出移行、及び背中用ノズル５から足裏用ノズル２ｓへの噴出移行が明確となり、撫で開始や撫で終わりが明確となり方向性が明確となる。また、腰用ノズル４から背中用ノズル５への噴出移行も明確になるため、噴出のオンオフが明確となり、つぼ押し効果が高まり、こり解消に効果的である。
【００６０】
尚、本変形例においても、前述の実施例同様、各弁の弁体の位置のチェック制御や、送水時間の設定や、使用者の好みに応じた各種設定などを、行えるようにしてもよい。
【００６１】
以上、単一のポンプに２つの弁を有する構成について説明してきたが、３つの弁を有する構成としてもよい。例えば、第１の弁９から腰用ノズル４及び背中用ノズル５との流路間に第３の弁２１を設けてもよい。この場合、例えば、腰用ノズルを図５のような足裏ノズル２ｓ同様のスイング噴射可能なノズルとし、第３の弁２１をロータリー式とすれば、腰用ノズル４ｓからの噴出もスイング動を可能とすることができる。このとき、図１３のように、第３の弁２１と腰用ノズル４ｓは配管１１ａ、１１ｂにてつながれ、また、第３の弁２１と背中用ノズル５は配管１２にてつながれている。このように構成することで、上述の足裏ノズル２ｓと脹脛ノズル３との順番関係同様、腰から背中までのマッサージを順序よく行うことができる。この際、全身モードとしては広範囲を連続してマッサージすることが可能となる。また、背中用ノズルもスイング噴射可能なノズルとしてもよい。すなわち、背中用ノズル及び腰用ノズルのいずれか一方をスイング噴射可能なノズルとしてもよいし、両方をスイング可能なノズルとしてもよく、いずれにしても、更に広範囲を連続してマッサージすることが可能となる。
【００６２】
次に、本発明の第２発明について述べる。以下に本発明の第２発明の実施の一例を添付図面に基づいて説明する。図１４（ａ）は本発明の第２発明に係る浴槽装置１０２の側面図であり、（ｂ）は平面図である。図１５は本発明に係る浴槽装置の主要構成部材の関係を示した概略図であり、図１６（ａ）〜（ｃ）は第２の弁の各ポジションでの断面図、図１６（ｄ）は第２の弁の側面図、図１７はスイングさせながら噴射可能な脹脛用ノズルの断面図である。
【００６３】
第２発明の浴槽装置１０２は、浴槽１と、浴槽１に設けられた吸引口６と、足裏用ノズル２と、スイングさせながら噴射可能な脹脛用ノズル３ｓと、腰用ノズル４と、背中用ノズル５と、吸引口６から各ノズルに通じる循環径路を形成する配管と、循環径路内に設けられた循環ポンプ１６と、第１の弁９と、第２の弁１３を有する。尚、第１発明の浴槽装置１０１と同様の構成要素については、同じ符号を付し、詳細な説明は省略する。また、第１の弁９については、第１発明の浴槽装置１０１と同様、図３を参照して説明する。
【００６４】
浴槽１において、入浴者の足先が位置する箇所には足裏用ノズル２が左右に１対配置され、入浴者の脹脛が位置する箇所には脹脛用ノズル３ｓが左右に１対配置され、入浴者の腰が位置する箇所には腰用ノズル４が１個配置され、入浴者の背中が位置する箇所には背中用ノズル５が１個配置されている。ここで、位置する箇所とは、入浴者（平均的な体格の使用者）が浴槽１に入ったと仮定したときの当該入浴者の足裏、脹脛、腰及び背中の近傍で、マッサージを行うのに最も効果的な位置を指す。
【００６５】
図１４では、足裏用ノズル２は浴槽短辺側の一方の壁面に設けられ、脹脛用ノズル３ｓは浴槽底面に設けられ、腰用ノズル４および背中用ノズル５は浴槽短辺側のもう一方の壁面に設けられている。尚、各ノズルが配置される位置としては、図１４に示した位置に限定されるものではなく、例えば、脹脛用ノズル３ｓは浴槽長辺側の壁面に設けられていてもよい。また、背中用ノズル５は、腰より若干上もしくは左右の肩甲骨の間を狙うように設けられていてもよい。
【００６６】
また、浴槽１は単一の循環ポンプ１６を備えている。この循環ポンプ１６は浴槽１に形成した吸引口６から浴水を配管７を介して吸引し、吸引した浴水を配管８を介して吐出する。
尚、本発明でいう浴水とは，気泡入りの浴水も含むものである。
【００６７】
配管８は第１の弁９に接続されている。本実施例にあっては、図３に示すように、第１の弁９としてロータリー式の４方弁を使用している。第１の弁９は、モータ９２により回動する弁体９１を有しており、この弁体９１の状態によって流路の連通状態を変化させる。この４方弁の１つの弁内流路９ａは前記配管８につながり、弁内流路９ｂは足裏用ノズル２及び脹脛用ノズル３ｓに浴水を供給する配管１０につながり、弁内流路９ｃは腰用ノズル４に浴水を供給する配管１１につながり、９ｄは背中用ノズル５に浴水を供給する配管１２につながっている。
【００６８】
前記配管１０は第２の弁１３に接続されている。本実施例にあっては、図１６に示すように、第２の弁１３としてロータリー式の４方弁を使用している。第２の弁１３は、モータ１３２により回動する弁体１３１を有しており、この弁体１３１の状態によって流路の連通状態を変化させる。この４方弁の１つの弁内流路１３ａは前記配管１０につながり、弁内流路１３ｂは足裏用ノズル２に浴水を供給する配管１４につながり、残りの弁内流路１３ｃ、１３ｄは脹脛用ノズル３ｓに浴水を供給する配管１５ａ、１５ｂにそれぞれつながっている。
【００６９】
前記配管１４は更に途中で分岐して左右の足裏用ノズル２につながり、前記配管１５ａ、１５ｂは途中で分岐して左右の脹脛用ノズル３ｓにつながっている。
【００７０】
前記脹脛用ノズル３ｓはノズル自体は固定であるが、噴出する浴水がスイング動する構造となっている。具体的には、図１７に示すように、脹脛用ノズル３ｓには前記配管１５ａにつながるノズル内流路３ａと前記配管１５ｂにつながるノズル内流路３ｂが形成され、これらノズル内流路３ａとノズル内流路３ｂがノズル内で合流している。
【００７１】
而して、配管１５ａからの浴水が配管１５ｂからの浴水よりも多いと図において右上側に浴水が噴出し、配管１５ｂからの浴水が配管１５ａからの浴水よりも多いと図において右下側に浴水が噴出する。また、配管１５ａからの浴水と配管１５ｂからの浴水とがほぼ等しい場合には、その中間の方向（紙面右方向）に噴出することになる。このように配管１５ａ，１５ｂからの浴水の流量を制御することで脹脛用ノズル３ｓから噴出する浴水はスイング動を行うことができる。すなわち、第２の弁１３での配管１５ａ、１５ｂへの流量配分を変化させていくことにより、浴水噴射のスイング動を容易に実現できる。
【００７２】
以上の構成からなる浴槽装置１０２の動作について説明する。第２発明の浴槽装置１０２は、足裏用ノズル２、脹脛用ノズル３ｓ、腰用ノズル４、背中用ノズル５から連続的に順番に浴水を噴出させる全身モードと、足裏用ノズル２、脹脛用ノズル３ｓから連続的に順番に浴水を噴出させる下半身モードと、腰用ノズル４、背中用ノズル５から浴水を噴出させる上半身モードを有している。
【００７３】
先ず全身モードについて説明する。本実施例では、第１の弁９として前述のロータリー式の４方弁（図３）を、また第２の弁１３として前述のロータリー式の４方弁（図１６）を用いており、図１８は全身モードにおける主要構成部材と噴出状態を示した概略図である。尚、全身モードのタイムチャートとしては、第１発明と同様であり、図６を用いて説明する。
【００７４】
第１の弁９は図３に示したように５つのポジションが、第２の弁１３は図１６に示したように３つのポジションが、弁体の回動方向に重ならないよう設定されており、弁体９１、１３１が回動することによって各ポジションを得ることができる。例えば第１の弁９では、図３（ａ）（ｂ）（ｃ）に示される３つのポジションで弁内流路９ａを弁内流路９ｂにのみ接続することになる。尚、各ポジション間の回動途中では、２つの出水側流路にまたがって連通状態を形成することもあり、この際、連通状態（開度状態）に応じて送水量が２つの出水側流路に配分されることになる。
【００７５】
ここでは、各ポジション間の移動速度は全て等しく設定されている。すなわち、第１の弁９の回転周期（一回転するのに必要な時間）と第２の弁の回転周期の比は、５対３である。尚、第１の弁９の弁体９１及び第２の弁１３の弁体１３１は、基本的に紙面上時計回りに回動する。
【００７６】
先ず、使用者からの全身モード開始の指令入力を受けて、第１の弁９を図３（ａ）ポジションとし、第２の弁１３を図１６（ａ）ポジションとする（この第１の弁９および第２の弁１３の状態を初期ポジションＢと呼ぶ）。各弁がそれぞれのポジションにあること（初期ポジションＢであること）を確認してから循環ポンプ１６をオンし浴水の噴出を開始する。この状態では図１８（ａ）に示すように、配管１４及び左右の足裏用ノズル２を介して使用者の足裏に向けて浴水が噴出される。
【００７７】
この後、循環ポンプ１６の送水が安定する所定の時間経過後、第１の弁９及び第２の弁１３の回動動作を開始する。第１の弁９を図３（ｂ）ポジションとし、第２の弁１３を図１６（ｂ）ポジションまで回転せしめる。すると、配管１４を介した左右の足裏ノズル２からの足裏向けの浴水の噴出が徐々に弱くなり配管１５ａを介した左右の脹脛用ノズル３ｓからの足首向けの浴水の噴出が徐々に強くなり、図１８（ｂ）に示すように、左右の足裏用ノズル２及び脹脛用ノズル３ｓの両方から噴出される状態を経て、図１８（ｃ）に示すように、配管１５ａを介して左右の脹脛用ノズル３ｓから浴水が足首に向けて噴出される。
【００７８】
次いで、第１の弁９を図３（ｃ）ポジションまで回動せしめ、第２の弁１３を図１６（ｃ）ポジションまで回転せしめる。この間に図１８（ｄ）に示すように、配管１５ａ、１５ｂを介して左右の脹脛用ノズル３ｓから脹脛に向けて噴出される状態を経て、図１８（ｅ）に示すように、配管１５ｂを介して左右の脹脛用ノズル３ｓから浴水が膝裏に向けて噴出される。
【００７９】
その結果、左右の脹脛用ノズル３ｓから噴出される浴水の方向は、使用者の足首から脹脛を経て膝裏に至るまで連続的に移るスイング動をなすことができる。これにより、脹脛を撫で上げる動作を実現できる。
【００８０】
次いで、第１の弁９を図３（ｄ）ポジションまで回動せしめるとともに、第２の弁１３を図１６（ｃ）ポジションを維持したまま停止させておく。すると、膝裏向けの浴水の噴出が徐々に弱くなり腰向けの浴水の噴出が徐々に強くなり、図１８（ｆ）に示すように、配管１５ｂを介した脹脛用ノズル３ｓ及び腰用ノズル４の両方から浴水が噴出する状態を経て、図１８（ｇ）に示すように、配管１１のみを介して腰用ノズル４から腰に向けて噴出する状態となる。
【００８１】
この後、第１の弁９を図３（ｄ）から（ｅ）ポジションまで回転させると、配管１１を介した腰用ノズル４からの腰向けの浴水の噴出が徐々に弱くなり配管１２を介した背中用ノズル５からの背中向けの浴水の噴出が徐々に強くなり、図１８（ｈ）に示すように、腰用ノズル４及び背中用ノズル５から腰及び背中に向けて同時に噴出する状態を経て、図１８（ｉ）に示すように、配管１２のみを介して背中用ノズル５から背中に向けて噴出する状態となる。この際、第２の弁１３は図１６（ｃ）ポジションから（ａ）ポジションに回動させておく。
【００８２】
この後、第１の弁９を図３（ａ）ポジションまで回動させて初期ポジションＢに戻す。この間に、背中向けの浴水の噴出が徐々に弱くなり配管１４からの足先向けの浴水の噴出が徐々に強くなり、図１８（ｊ）に示すように、背中用ノズル５及び足裏用ノズルの両方から浴水が噴出する状態をて、配管１４を介した左右の足裏用ノズル２からの足裏向けの浴水が噴出される図１８（ａ）の状態に戻る。この際、第２の弁１３は図１６（ａ）ポジションに維持したまま停止させておく。
【００８３】
以上の動作を１サイクルとして繰り返し行い、使用者の停止の指令入力を受けてもしくは所定の時間の経過後、循環ポンプ１６をオフし全身モードは終了となる。このとき、初期ポジションＢに戻す動作をさせてもよい。
【００８４】
このような動作を行う全身モードによって、単一のポンプで、足裏から始まって、足首、脹脛、膝裏、腰、背中と、順番にかつ連続的に水流にて使用者の全身を撫で上げながら刺激することができ、常に末端から心臓に向かう方向で全身をマッサージし、リンパの流れを促進し、むくみ解消などの効果を効率よく発揮することができる。このとき、各ノズル間の噴出移行は、第１の弁９および第２の弁１３の回動動作によりスムーズに行われるため、使用者にとって違和感のないマッサージ効果の高いシステムを実現できる。
【００８５】
続いて下半身モードについて説明する。下半身モードのタイムチャートとしては、第１発明と同様であり、図８を用いて説明する。基本的には前記全身モードから上半身モードを省略したものであり、第１の弁９は図３（ａ）ポジションに固定され、この間に第２の弁１３が回動することで、図１８（ａ）から（ｅ）までを行い（ａ）に戻る、という工程を繰り返し行うことになる。尚、第１の弁９は図３（ｂ）または（ｃ）ポジションに固定してもよい。
【００８６】
このような動作を行う下半身モードによって、単一のポンプで、足裏から始まって、足首、脹脛、膝裏と、むくみの発生しやすい下半身に対して、順番にかつ連続的に水流を作用させることができ、常に身体の末端から心臓に向かう方向で下半身をマッサージし、リンパの流れを促進し、むくみ解消などの効果を効率よく発揮することができる。
【００８７】
続いて上半身モードについて説明する。上半身モードのタイムチャートとしては、第１発明と同様であり、図９を用いて説明する。基本的には前記全身モードから下半身モードを省略したものであり、第２の弁１３は図１６（ａ）ポジションに固定され、この間に第１の弁９が図３（ｄ）ポジションと（ｅ）ポジションとの間を回動往復（（ｄ）ポジションから（ｅ）ポジションは時計回り、（ｅ）ポジションから（ｄ）ポジションは反時計回り、の反復動作）することで、図１８（ｇ）（ｈ）（ｉ）（ｈ）（ｇ）の工程を繰り返し行うことになる。尚、第２の弁１３は１６（ｂ）または（ｃ）ポジションに固定してもよい。
【００８８】
このような動作を行う上半身モードによって、単一のポンプで、腰から背中の背骨周りに存在するつぼを中心としたマッサージポイントに対して、腰用ノズル４および背中用ノズル５から交互に水流を作用させることができ、広範囲にわたって上半身をマッサージし、こり解消などの効果を効率よく発揮することができる。
【００８９】
以上述べてきたように、本発明によれば、単一のポンプで全身モード、下半身モード、上半身モード、のそれぞれを実現でき、かつそれぞれのモードにおいて各ノズルから順番に水流を身体に対して作用させることができ、リンパマッサージやこり解消といったマッサージ効果をより効率よく発揮することができる。
【００９０】
また、使用者の状態や好みによって、全身を撫で上げてくれる全身モード、下半身のむくみを重点的に解消する下半身モード、上半身のこりを重点的に解消する上半身モード、を使い分けることができ、使用者にとってより好ましいシステムを単一のポンプで実現している。
【００９１】
このように、単一のポンプで順番に連続的に水流を噴出させるために、二つの弁（第１の弁９、第２の弁１３）は上記のように連動して動かす必要がある。具体的には、第１の弁９が第２の弁１３側に開いているとき（図３（ａ）ポジションから（ｃ）ポジションまで）に、第２の弁１３の一連の動作（少なくとも図１６（ａ）ポジションから（ｃ）ポジションまで）を行う必要がある。この連動動作を確実にするため、各モードでの動作状態において、第１の弁９と第２の弁１３のポジション、具体的には弁体９１と弁体１３１の位置をチェックする制御を行っても良い。例えば、全身モードにおいては初期ポジションＢは定期的に訪れるので、このポジションを定期的にチェックしポジションのずれを補正することで、誤動作を防ぐことができる。同様に、本浴槽装置１０２の運転を一時中断し、再起動するときにも、各モードの初期位置（例えば全身モードにおいては初期ポジションＢ）を確認し、それから循環ポンプ１６をオンすることで、誤動作を防ぐと共に、各モードの始まりを所定の噴出位置（全身モードと下半身モードでは配管１４を介した足裏向け噴出、上半身モードでは配管１１を介した腰向け噴出）からとすることができる。これにより、必ず身体の末端から心臓に向かうマッサージとなる。
【００９２】
また、循環ポンプ１６から第１の弁９および第２の弁１３を通じて各配管への送水時間を４秒から４０秒と設定することが望ましい。各配管への送水時間とは、本実施例においては、例えば配管１４への送水時間は、第１の弁９が弁内流路９ｂ側に開いておりかつ第２の弁１３が弁内流路１３ｂ側に開いている時間となり、およそ図１６（ｃ）ポジションから（ｂ）ポジションに到るまでの時間である。この各配管への送水時間は、各配管に対応する各噴出ノズルからの浴水噴出の時間を決定しており、すなわち、マッサージ時間を決定するものである。例えば、スイングさせながら噴射させる脹脛用ノズル３ｓの場合、噴出時間は配管１５ａと配管１５ｂの２本分の送水時間を加味して決定されるため送水時間より若干長めとなり、およそ送水時間の３／２倍である。一方、足裏用ノズル２の場合、噴出時間は配管１４によってのみ決定されるため送水時間と等しい。各配管への送水時間が４秒以上だと、水流により撫で上げるリンパマッサージ効果が十分に得られ、また、４０秒以下だと、使用者が使用中に退屈になることなく使用することができる。
【００９３】
また、各部位での動作時間を使用者の好みに応じて設定できるようにしてもよく、この場合、設定時間に応じて弁体の速度や回動時間を変更するよう制御することで対応できる。
【００９４】
次に、第２発明において第１の弁として電磁式バルブを用いた変形例について述べる。本変形例の浴槽装置は、第１の弁９に電磁式バルブを用いる以外については、前述の第２発明の実施例の浴槽装置１０２と同じ構成を有している。
本変形例のタイムチャートとしては、第１発明の変形例のタイムチャートと同様である。すなわち、本変形例の全身モードのタイムチャートとして図１０、下半身モードのタイムチャートとして図１１、上半身モードのタイムチャートとして図１２、を参照しながら説明する。
基本的なパターンは前記ロータリーバルブを用いた場合と同様であり、単一のポンプで全身モード、下半身モード、上半身モードを第１の弁９および第２の弁１３の連動動作によって実現している。尚、電磁式バルブを用いた場合にはオン・オフの切替がデジタル的であるため、瞬時に浴水の噴出・停止がなされる。これにより、脹脛ノズル３ｓから腰用ノズル４への噴出移行、及び背中用ノズル５から足裏用ノズル２への噴出移行が明確となり、撫で開始や撫で終わりが明確となり方向性が明確となる。また、腰用ノズル４から背中用ノズル５への噴出移行も明確になるため、噴出のオンオフが明確となり、つぼ押し効果が高まり、こり解消に効果的である。
【００９５】
尚、本変形例においても、前述の実施例同様、各弁の弁体の位置のチェック制御や、送水時間の設定や、使用者の好みに応じた各種設定などを、行えるようにしてもよい。
【００９６】
以上、単一のポンプに２つの弁を有する構成について説明してきたが、３つの弁を有する構成としてもよい。例えば、第１の弁９から腰用ノズル４及び背中用ノズル５との流路間に第３の弁２１を設けてもよい。この場合、例えば、背中用ノズルを図１７のような脹脛ノズル３ｓ同様のスイング噴射可能なノズルとし、第３の弁２１をロータリー式とすれば、背中用ノズル５ｓからの噴出もスイング動を可能とすることができる。このとき、図１９のように、第３の弁２１と背中用ノズル５ｓは配管１２ａ、１２ｂにてつながれ、また、第３の弁２１と腰用ノズル４は配管１１にてつながれている。このように構成することで、上述の足裏ノズル２と脹脛ノズル３ｓとの順番関係同様、腰から背中、首下までのマッサージを順序よく行うことができる。この際、全身モードとしては、広範囲を連続してマッサージすることが可能となる。また、腰用ノズルもスイング噴射可能なノズルとしてもよい。すなわち、背中用ノズル及び腰用ノズルのいずれか一方をスイング噴射可能なノズルとしてもよいし、両方をスイング可能なノズルとしてもよく、いずれにしても、更に広範囲を連続してマッサージすることが可能となる。        
次に、本発明の第３発明について述べる。以下に本発明の第２発明の実施の一例を添付図面に基づいて説明する。図２０（ａ）は本発明の第３発明に係る浴槽装置１０３の側面図であり、（ｂ）は平面図である。図２１は本発明に係る浴槽装置の主要構成部材の関係を示した概略図であり、図２２（ａ）〜（ｆ）は第１の弁の各ポジションでの断面図、図２２（ｇ）は第１の弁の側面図、図２３（ａ）〜（ｄ）は第２の弁の各ポジションでの断面図、図２３（ｅ）は第２の弁の側面図である。
【００９７】
第３発明の浴槽装置１０３は、浴槽１と、浴槽１に設けられた吸引口６と、スイングさせながら噴射可能な足裏用ノズル２ｓと、スイングさせながら噴射可能な脹脛用ノズル３ｓと、腰用ノズル４と、背中用ノズル５と、吸引口６から各ノズルに通じる循環径路を形成する配管と、循環径路内に設けられた循環ポンプ１６と、第１の弁３９と、第２の弁３３を有する。尚、第１発明の浴槽装置１０１および第２発明の浴槽装置１０２と同様の構成要素については、同じ符号を付し、詳細な説明は省略する。また、足裏用ノズル２ｓについては、第１発明と同様、図５を参照して説明し、脹脛用ノズル３ｓについては、第２発明と同様、図１７を参照して説明する。
【００９８】
浴槽１において、入浴者の足先が位置する箇所には足裏用ノズル２ｓが左右に１対配置され、入浴者の脹脛が位置する箇所には脹脛用ノズル３ｓが左右に１対配置され、入浴者の腰が位置する箇所には腰用ノズル４が１個配置され、入浴者の背中が位置する箇所には背中用ノズル５が１個配置されている。ここで、位置する箇所とは、入浴者（平均的な体格の使用者）が浴槽１に入ったと仮定したときの当該入浴者の足裏、脹脛、腰及び背中の近傍で、マッサージを行うのに最も効果的な位置を指す。
【００９９】
図２０では、足裏用ノズル２ｓは浴槽短辺側の一方の壁面に設けられ、脹脛用ノズル３ｓは浴槽底面に設けられ、腰用ノズル４および背中用ノズル５は浴槽短辺側のもう一方の壁面に設けられている。尚、各ノズルが配置される位置としては、図２０に示した位置に限定されるものではなく、例えば、脹脛用ノズル３ｓは浴槽長辺側の壁面に設けられていてもよい。また、背中用ノズル５は、腰より若干上もしくは左右の肩甲骨の間を狙うように設けられていてもよい。
【０１００】
また、浴槽１は単一の循環ポンプ１６を備えている。この循環ポンプ１６は浴槽１に形成した吸引口６から浴水を配管７を介して吸引し、吸引した浴水を配管８を介して吐出する。
尚、本発明でいう浴水とは、気泡入りの浴水も含むものである。
【０１０１】
配管８は第１の弁３９に接続されている。本実施例にあっては、図２２に示すように、第１の弁３９としてロータリー式の４方弁を使用している。第１の弁３９は、モータ３９２により回動する弁体３９１を有しており、この弁体３９１の状態によって流路の連通状態を変化させる。この４方弁の１つの弁内流路３９ａは前記配管８につながり、弁内流路３９ｂは足裏用ノズル２ｓ及び脹脛用ノズル３ｓに浴水を供給する配管１０につながり、弁内流路３９ｃは腰用ノズル４に浴水を供給する配管１１につながり、３９ｄは背中用ノズル５に浴水を供給する配管１２につながっている。
【０１０２】
前記配管１０は第２の弁３３に接続されている。本実施例にあっては、図２３に示すように、第２の弁３３としてロータリー式の５方弁を使用している。第２の弁３３は、モータ３３２により回動する弁体３３１を有しており、この弁体３３１の状態によって流路の連通状態を変化させる。この５方弁の１つの弁内流路３３ａは前記配管１０につながり、弁内流路３３ｂ、３３ｃは足裏用ノズル２ｓに浴水を供給する配管１４ａ、１４ｂにそれぞれつながり、残りの弁内流路３３ｄ、３３ｅは脹脛用ノズル３ｓに浴水を供給する配管１５ａ、１５ｂにそれぞれつながっている。
【０１０３】
前記配管１４ａ、１４ｂは更に途中で分岐して左右の足裏用ノズル２ｓにつながり、前記配管１５ａ、１５ｂは途中で分岐して左右の脹脛用ノズル３ｓにつながっている。
【０１０４】
前記足裏用ノズル２ｓ及び脹脛用ノズル３ｓはノズル自体は固定であるが、噴出する浴水がスイング動する構造となっている。具体的構造については、足裏用ノズル２ｓは第１発明において図５を参照して説明したのと同様であり、脹脛用ノズル３ｓは第２発明において図１７を参照して説明したのと同様であり、第２の弁３３での各配管への流量配分を変化させていくことにより、浴水噴射のスイング動を容易に実現できる。
【０１０５】
以上の構成からなる浴槽装置１０３の動作について説明する。第３発明の浴槽装置１０３は、足裏用ノズル２ｓ、脹脛用ノズル３ｓ、腰用ノズル４、背中用ノズル５から連続的に順番に浴水を噴出させる全身モードと、足裏用ノズル２ｓ、脹脛用ノズル３ｓから連続的に順番に浴水を噴出させる下半身モードと、腰用ノズル４、背中用ノズル５から浴水を噴出させる上半身モードを有している。
【０１０６】
先ず全身モードについて説明する。本実施例では、第１の弁３９として前述のロータリー式の４方弁（図２２）を、また第２の弁３３として前述のロータリー式の５方弁（図２３）を用いており、図２４は全身モードのタイムチャート、図２５は全身モードにおける主要構成部材と噴出状態を示した概略図である。尚、タイムチャート内の図の矢印は後述する各弁のポジションを模式的に表している。
【０１０７】
第１の弁３９は図２２に示したように６つのポジションが、第２の弁３３は図２３に示したように４つのポジションが、弁体の回動方向に重ならないよう設定されており、弁体３９１、３３１が回動することによって各ポジションを得ることができる。例えば第１の弁３９では、図２２（ａ）（ｂ）（ｃ）（ｄ）に示される４つのポジションで弁内流路３９ａを弁内流路３９ｂにのみ接続することになる。尚、各ポジション間の回動途中では、２つの出水側流路にまたがって連通状態を形成することもあり、この際、連通状態（開度状態）に応じて送水量が２つの出水側流路に配分されることになる。
【０１０８】
ここでは、各ポジション間の移動速度は全て等しく設定されている。すなわち、第１の弁３９の回転周期（一回転するのに必要な時間）と第２の弁３３の回転周期の比は、６対４である。尚、第１の弁３９の弁体３９１及び第２の弁３３の弁体３３１は、基本的に紙面上時計回りに回動する。
【０１０９】
先ず、使用者からの全身モード開始の指令入力を受けて、第１の弁３９を図２２（ａ）ポジションとし、第２の弁３３を図２３（ａ）ポジションとする（この第１の弁３９および第２の弁３３の状態を初期ポジションＣと呼ぶ）。各弁体がそれぞれのポジションにあること（初期ポジションＣであること）を確認してから循環ポンプ１６をオンし浴水の噴出を開始する。この状態では図２５（ａ）に示すように、配管１４ａ及び左右の足裏用ノズル２ｓのノズル内流路２ａを介して使用者の足先に向けて浴水が噴出される。
【０１１０】
この後、循環ポンプ１６の送水が安定する所定の時間経過後、第１の弁３９及び第２の弁３３の回動動作を開始する。第１の弁３９を図２２（ｂ）ポジションとし、第２の弁３３を図２３（ｂ）ポジションまで回転せしめる。すると、配管１４ａを介した足裏ノズル２ｓからの足先向けの浴水の噴出が徐々に弱くなり配管１４ｂを介した足裏ノズル２ｓからの踵向けの浴水の噴出が徐々に強くなり、図２５（ｂ）に示すように、配管１４ａ、１４ｂを介して左右の足裏用ノズル２から浴水が足裏に向けて噴出される状態を経て、図２５（ｃ）に示すように、配管１４ｂを介して左右の足裏用ノズル２から浴水が踵に向けて噴出される。
【０１１１】
その結果、左右の足裏用ノズル２ｓから噴出される浴水の方向は、使用者の足先から土踏まずを経て踵に至るまで連続的に移るスイング動をなすことができる。これにより、足裏を撫でる動作を実現できる。
【０１１２】
次いで、第１の弁３９を図２２（ｃ）ポジションまで回動せしめ、第２の弁３３を図２３（ｃ）ポジションまで回転せしめる。すると、踵向けの浴水の噴出が徐々に弱くなり足首向けの浴水の噴出が徐々に強くなり、この間に図２５（ｄ）に示すように、左右の足裏用ノズル２ｓ（ノズル内流路２ｂ）及び脹脛用ノズル３ｓ（ノズル内流路３ａ）の両方から噴出している状態を経て、図２５（ｅ）に示すように、左右の脹脛用ノズル３ｓのみから浴水が足首に向けて噴出される。
【０１１３】
次いで、第１の弁３９を図２２（ｄ）ポジションまで回動せしめ、第２の弁３３を図２３（ｄ）ポジションまで回転せしめる。すると、足首向けの浴水の噴出が徐々に弱くなり膝裏向けの浴水の噴出が徐々に強くなり、この間に図２５（ｆ）に示すように、配管１５ａ、１５ｂを介して左右の脹脛用ノズル３ｓから浴水が脹脛に向けて噴出される状態を経て、図２５（ｇ）に示すように、配管１５ｂを介して左右の脹脛用ノズル３ｓから浴水が膝裏に向けて噴出される。
【０１１４】
その結果、左右の脹脛用ノズル３ｓから噴出される浴水の方向は、使用者の足首から脹脛を経て膝裏に至るまで連続的に移るスイング動をなすことができる。これにより、脹脛を撫で上げる動作を実現できる。
【０１１５】
次いで、第１の弁３９を図２２（ｅ）ポジションまで回動せしめるとともに、第２の弁３３を図２３（ｄ）ポジションを維持したまま停止させておく。すると、膝裏向けの浴水の噴出が徐々に弱くなり腰向けの浴水の噴出が徐々に強くなり、図２５（ｈ）に示すように、脹脛用ノズル３及び腰用ノズル４の両方から浴水が噴出する状態を経て、図２５（ｉ）に示すように、配管１１のみを介して腰用ノズル４から腰に向けて噴出する状態となる。
【０１１６】
この後、第１の弁３９を図２２（ｅ）から（ｆ）ポジションまで回転させると、配管１１を介した腰用ノズル４からの腰向けの浴水の噴出が徐々に弱くなり配管１２を介した背中用ノズル５からの背中向けの浴水の噴出が徐々に強くなり、図２５（ｊ）に示すように、腰用ノズル４及び背中用ノズル５から腰及び背中に向けて噴出する状態を経て、図２５（ｋ）に示すように、配管１２のみを介して背中用ノズル５から背中に向けて噴出する状態となる。この際、第２の弁３３は図２３（ｄ）ポジションから（ａ）ポジションに回動させておく。
【０１１７】
この後、第１の弁３９を図２２（ａ）ポジションまで回動させて初期ポジションＣに戻す。この間に、背中向けの浴水の噴出が徐々に弱くなり配管１４ａを介した足裏用ノズル２ｓからの足先向けの浴水の噴出が徐々に強くなり、図２５（ｌ）に示すように、背中用ノズル５及び足裏用ノズル２ｓから浴水が噴出する状態を経て、配管１４ａを介した足裏用ノズル２ｓからの足先向けの浴水が噴出される図２５（ａ）の状態に戻る。この際、第２の弁３３は図２３（ａ）ポジションに維持したまま停止させておく。
【０１１８】
以上の動作を１サイクルとして繰り返し行い、使用者の停止の指令入力を受けてもしくは所定の時間の経過後、循環ポンプ１６をオフし全身モードは終了となる。このとき、初期ポジションＣに戻す動作をさせてもよい。
【０１１９】
このような動作を行う全身モードによって、単一のポンプで、足先から始まって、足裏、踵、足首、脹脛、膝裏、腰、背中と、順番にかつ連続的に水流にて使用者の全身を撫で上げることができ、常に身体の末端から心臓に向かう方向で全身をマッサージし、リンパの流れを促進し、むくみ解消などの効果を効率よく発揮することができる。このとき、各ノズル間の噴出移行は、第１の弁３９および第２の弁３３の回動動作により、スムーズに行われるため、使用者にとって違和感のないマッサージ効果の高いシステムを実現できる。
【０１２０】
図２６は下半身モードのタイムチャートであり、基本的には前記全身モードから上半身モードを省略したものであり、第１の弁３９は図２２（ａ）ポジションに固定され、この間に第２の弁３３が回動することで、図２５（ａ）から（ｇ）までを行い（ａ）に戻る、という工程を繰り返し行うことになる。
尚、第１の弁３９は図２２（ｂ）、（ｃ）、（ｄ）いずれのポジションに固定してもよい。
【０１２１】
このような動作を行う下半身モードによって、単一のポンプで、足先から始まって、足裏、踵、足首、脹脛、膝裏と、むくみの発生しやすい下半身に対して、順番にかつ連続的に水流を作用させ撫で上げることができ、常に身体の末端から心臓に向かう方向で下半身をマッサージし、リンパの流れを促進し、むくみ解消などの効果を効率よく発揮することができる。
【０１２２】
図２７は上半身モードのタイムチャートであり、基本的には前記全身モードから下半身モードを省略したものであり、第２の弁３３は図２３（ａ）ポジションに固定され、この間に第１の弁３９が図２２（ｅ）ポジションと（ｆ）ポジションとの間を回動往復（（ｅ）ポジションから（ｆ）ポジションは時計回り、（ｆ）ポジションから（ｅ）ポジションは反時計回り、の反復動作）することで、図２５（ｉ）（ｊ）（ｋ）（ｊ）（ｉ）の工程を繰り返し行うことになる。尚、第２の弁３３は図２３（ｂ）または（ｃ）ポジションに固定してもよい。
【０１２３】
このような動作を行う上半身モードによって、単一のポンプで、腰から背中の背骨周りに存在するつぼを中心としたマッサージポイントに対して、交互に水流を作用させることができ、広範囲にわたって上半身をマッサージし、こり解消などの効果を効率よく発揮することができる。
【０１２４】
以上述べてきたように、本発明によれば、単一のポンプで全身モード、下半身モード、上半身モード、のそれぞれを実現でき、かつそれぞれのモードにおいて各ノズルから順番に身体に対して作用させることができ、リンパマッサージやこり解消といったマッサージ効果をより効率よく発揮することができる。
【０１２５】
また、使用者の状態や好みによって、全身を撫で上げてくれる全身モード、下半身むくみを重点的に解消する下半身モード、上半身のこりを重点的に解消する上半身モード、を使い分けることができ、使用者にとってより好ましいシステムを単一のポンプで実現している。
【０１２６】
このように、単一のポンプで順番に連続的に水流を噴出させるために、二つの弁（第１の弁３９、第２の弁３３）は上記のように連動して動かす必要がある。具体的には、第１の弁３９が第２の弁３３側に開いているとき（図２２（ａ）ポジションから（ｄ）ポジションまで）に、第２の弁３３の一連の動作（少なくとも図２３（ａ）ポジションから（ｄ）ポジションまで）を行う必要がある。この連動動作を確実にするため、各モードでの動作状態において、第１の弁３９と第２の弁３３のポジション、具体的には弁体３９１と弁体３３１の位置、をチェックする制御を行っても良い。例えば、全身モードにおいては初期ポジションＣは定期的に訪れるので、このポジションを定期的にチェックしポジションのずれを補正することで、誤動作を防ぐことができる。同様に、本浴槽装置１０３の運転を一時中断し、再起動するときにも、各モードの初期位置（例えば全身モードにおいては初期ポジションＣ）をチェックし、それから循環ポンプ１６をオンすることで、誤動作を防ぐと共に、各モードの始まりを所定の噴出位置（全身モードと下半身モードでは配管１４ａを介した足先向け噴出、上半身モードでは配管１１を介した腰向け噴出）からとすることができる。これにより必ず身体の末端から心臓に向かうマッサージとなる。
【０１２７】
また、循環ポンプ１６から第１の弁３９および第２の弁３３を通じて各配管への送水時間を４秒から４０秒と設定することが望ましい。各配管への送水時間とは、本実施例においては、例えば配管１４ｂへの送水時間は、第１の弁３９が弁内流路９ｂ側に開いておりかつ第２の弁３３が弁内流路１３ｃ側に開いている時間となり、およそ図２３（ａ）ポジションから（ｃ）ポジションに到るまでの時間である。この各配管への送水時間は、各配管に対応する各噴出ノズルからの浴水噴出の時間を決定しており、すなわち、マッサージ時間を決定するものである。例えば、スイングさせながら噴射させる脹脛用ノズル３ｓの場合、噴出時間は配管１５ａと配管１５ｂの２本分の送水時間を加味して決定されるため送水時間より若干長めとなり、およそ送水時間の３／２倍である。各配管への送水時間が４秒以上だと、水流により撫で上げるリンパマッサージ効果が十分に得られ、また、４０秒以下だと、使用者が使用中に退屈になることなく使用することができる。
【０１２８】
また、各部位での動作時間を使用者の好みに応じて設定できるようにしてもよく、この場合、設定時間に応じて弁体の速度や回動時間を変更するよう制御することで対応できる。
【０１２９】
次に、第３発明において第１の弁として電磁式バルブを用いた変形例について述べる。本変形例の浴槽装置は、第１の弁３９に電磁式バルブを用いる以外については、前述の第３発明の実施例の浴槽装置１０３と同じ構成を有している。
図２８、図２９及び図３０は、本変形例の、全身モード、下半身モード、及び上半身モードのタイムチャートである。基本的なパターンは前記ロータリーバルブを用いた場合と同様であり、単一のポンプで全身モード、下半身モード、上半身モードを第１の弁３９および第２の弁３３の連動動作によって実現している。尚、電磁式バルブを用いた場合にはオン・オフの切替がデジタル的であるため、瞬時に浴水の噴出・停止がなされる。これにより、脹脛用ノズル３ｓから腰用ノズル４への噴出移行、及び背中用ノズル５から足裏用ノズル２ｓへの噴出移行が明確となり、撫で開始や撫で終わりが明確となり方向性が明確となる。また、腰用ノズル４から背中用ノズル５への噴出移行も明確になるため、噴出のオンオフが明確となり、つぼ押し効果が高まり、こり解消に効果的である。
【０１３０】
尚、本変形例においても、前述の実施例同様、各弁の弁体の位置のチェック制御や、送水時間の設定や、使用者の好みに応じた各種設定などを、行えるようにしてもよい。
【０１３１】
以上、単一のポンプに２つの弁を有する構成について説明してきたが、３つの弁を有する構成としてもよい。例えば、第１の弁３９から腰用ノズル４及び背中用ノズル５との流路間に第３の弁２１を設けてもよい。この場合、例えば、腰用ノズルを図５のような足裏ノズル２ｓ同様のスイング噴射可能なノズルとし、第３の弁２１をロータリー式とすれば、腰用ノズル４ｓからの噴出もスイング動を可能とすることができる。第３の弁２１をロータリー式とすれば、上述同様、背中用ノズル４のスイング動を容易に行うことができる。このとき、図３１のように、第３の弁２１と腰用ノズル４ｓは配管１１ａ、１１ｂにてつながれ、また、第３の弁２１と背中用ノズル５は配管１２にてつながれている。このように構成することで、上述の足裏ノズル２ｓと脹脛ノズル３との順番関係同様、腰から背中までのマッサージを順序よく行うことができる。この際、全身モードとしては広範囲を連続してマッサージすることが可能となる。また、背中用ノズルもスイング噴射可能なノズルとしてもよい。すなわち、背中用ノズル及び腰用ノズルのいずれか一方をスイング噴射可能なノズルとしてもよいし、両方をスイング可能なノズルとしてもよく、いずれにしても、更に広範囲を連続してマッサージすることが可能となる。
【０１３２】
以上、本発明の実施例について説明したが、本発明の浴槽装置を構成するいずれかの要素について当業者が設計変更を加えたものであっても、本発明の要旨を備えたものであれば、本発明の範囲に包含される。
例えば、各浴水噴射ノズルの位置や大きさ、又、各弁の速度や停止のタイミングなど詳細な動きなどについて当業者が適宜変更を加えたものであっても、本発明の要旨を含む限り、本発明の範囲に包含される。
【図面の簡単な説明】
【０１３３】
【図１】（ａ）は本発明の第１発明に係る浴槽装置の側面図であり、（ｂ）は平面図である。
【図２】第１発明に係る浴槽装置の主要構成部材の関係を示した概略図である。
【図３】（ａ）〜（ｅ）は第１発明に係る第１の弁の各ポジションでの断面図であり、（ｆ）は第１の弁の側面図である。
【図４】（ａ）〜（ｃ）は第１発明に係る第２の弁の各ポジションでの断面図であり、（ｄ）は第２の弁の側面図である。
【図５】スイングさせながら噴射可能な足裏用ノズルの断面図である。
【図６】第１発明において第１の弁としてロータリー式バルブを用いた場合の全身モードのタイムチャートである。
【図７】第１発明に係る全身モードにおける各ノズルからの噴出状態を示した概略図である。
【図８】第１発明において第１の弁としてロータリー式バルブを用いた場合の下半身モードのタイムチャートである。
【図９】第１発明において第１の弁としてロータリー式バルブを用いた場合の上半身モードのタイムチャートである。
【図１０】第１発明において第１の弁として電磁式バルブを用いた場合の全身モードのタイムチャートである。
【図１１】第１発明において第１の弁として電磁式バルブを用いた場合の下半身モードのタイムチャートである。
【図１２】第１発明において第１の弁として電磁式バルブを用いた場合の上半身モードのタイムチャートである。
【図１３】本発明の第１発明において第３の弁を用いる場合の浴槽装置の主要構成部材の関係を示した概略図である。
【図１４】（ａ）は本発明の第２発明に係る浴槽装置の側面図であり、（ｂ）は平面図である。
【図１５】第２発明に係る浴槽装置の主要構成部材の関係を示した概略図である。
【図１６】（ａ）〜（ｃ）は第２発明に係る第２の弁の各ポジションでの断面図であり、（ｄ）は第２の弁の側面図である。
【図１７】スイングさせながら噴射可能な脹脛用ノズルの断面図である。
【図１８】第２発明に係る全身モードにおける各ノズルからの噴出状態を示した概略図である。
【図１９】第２発明において第３の弁を用いる場合の浴槽装置の主要構成部材の関係を示した概略図である。
【図２０】（ａ）は本発明の第３発明に係る浴槽装置の側面図であり、（ｂ）は平面図である。
【図２１】第３発明に係る浴槽装置の主要構成部材の関係を示した概略図である。
【図２２】（ａ）〜（ｆ）は第３発明に係る第１の弁の各ポジションでの断面図であり、（ｇ）は第１の弁の側面図である。
【図２３】（ａ）〜（ｄ）は第３発明に係る第２の弁の各ポジションでの断面図であり、（ｅ）は第２の弁の側面図である。
【図２４】第３発明において第１の弁としてロータリー式バルブを用いた場合の全身モードのタイムチャートである。
【図２５ａ】第３発明に係る全身モードにおける各ノズルからの噴出状態を示した概略図である。
【図２５ｂ】第３発明に係る全身モードにおける各ノズルからの噴出状態を示した概略図である。
【図２６】第３発明において第１の弁としてロータリー式バルブを用いた場合の下半身モードのタイムチャートである。
【図２７】第３発明において第１の弁としてロータリー式バルブを用いた場合の上半身モードのタイムチャートである。
【図２８】第３発明において第１の弁として電磁式バルブを用いた場合の全身モードのタイムチャートである。
【図２９】第３発明において第１の弁として電磁式バルブを用いた場合の下半身モードのタイムチャートである。
【図３０】第３発明において第１の弁として電磁式バルブを用いた場合の上半身モードのタイムチャートである。
【図３１】第３発明において第３の弁を用いる場合の浴槽装置の主要構成部材の関係を示した概略図である。
【符号の説明】
【０１３４】
１…浴槽、
２…足裏用ノズル
２ａ、２ｂ…ノズル内流路
２ｓ…スイング噴射可能な足裏用ノズル
３…脹脛用ノズル
３ａ、３ｂ…ノズル内流路
３ｓ…スイング噴射可能な脹脛用ノズル
４…腰用ノズル
４ｓ…スイング噴射可能な腰用ノズル
５…背中用ノズル
６…吸引口
７、８、１０、１１、１１ａ、１１ｂ、１２…配管
１４、１４ａ、１４ｂ、１５、１５ａ、１５ｂ、２０…配管
９…第１の弁
９ａ、９ｂ、９ｃ、９ｄ…弁内流路
１３…第２の弁
１３ａ、１３ｂ、１３ｃ、１３ｄ…弁内流路
１６…循環ホポンプ
２１…第３の弁
３３…第２の弁
３３ａ、３３ｂ、３３ｃ、３３ｄ、３３ｅ…弁内流路
３９…第１の弁
３９ａ、３９ｂ、３９ｃ、３９ｄ…弁内流路
９１、１３１、３３１、３９１…弁体
９２、１３２、３３２、３９２…モータ
１０１、１０２、１０３…浴槽装置
【図１】
2007260266.tif 000003
【図２】
2007260266.tif 000004
【図３】
2007260266.tif 000005
【図４】
2007260266.tif 000006
【図５】
2007260266.tif 000007
【図６】
2007260266.tif 000008
【図７】
2007260266.tif 000009
【図８】
2007260266.tif 000010
【図９】
2007260266.tif 000011
【図１０】
2007260266.tif 000012
【図１１】
2007260266.tif 000013
【図１２】
2007260266.tif 000014
【図１３】
2007260266.tif 000015
【図１４】
2007260266.tif 000016
【図１５】
2007260266.tif 000017
【図１６】
2007260266.tif 000018
【図１７】
2007260266.tif 000019
【図１８】
2007260266.tif 000020
【図１９】
2007260266.tif 000021
【図２０】
2007260266.tif 000022
【図２１】
2007260266.tif 000023
【図２２】
2007260266.tif 000024
【図２３】
2007260266.tif 000025
【図２４】
2007260266.tif 000026
【図２５ａ】
2007260266.tif 000027
【図２５ｂ】
2007260266.tif 000028
【図２６】
2007260266.tif 000029
【図２７】
2007260266.tif 000030
【図２８】
2007260266.tif 000031
【図２９】
2007260266.tif 000032
【図３０】
2007260266.tif 000033
【図３１】
2007260266.tif 000034